(57)【特許請求の範囲】
【請求項１】
ＣＣＤアレイに結像されて読み取られた原稿画像に基づいて電子写真プロセスによる画像形成を行なうデジタル複写機において、
独立のクロックによって駆動される複数個の高周波発生部のクロック周波数を相互に異ならせ、相互に異なる個々の前記高周波発生部のクロック周波数を、二つの前記高周波発生部の全ての組合せにおいて、二つの前記高周波発生部のクロック周波数の最小公倍数がそれらの高周波発生部のクロック周波数の積となるように設定したことを特徴とするデジタル複写機。
【発明の詳細な説明】
【０００１】
【発明の属する技術分野】
本発明は、デジタル複写機に関する。
【０００２】
【従来の技術】
従来の複写機では、高速機や多機能機になればなるほど内蔵するＣＰＵの数も多くなる。例えば、電子写真プロセス動作や用紙の給排紙及び搬送動作等を制御するシーケンス制御部のためのＣＰＵや操作部のためのＣＰＵの他に、自動原稿送り装置（ＡＤＦ）が備えられていればそのためのＣＰＵが設けられ、ソータが備えられていればそのためのＣＰＵが設けられることが多い。また、デジタル複写機では、原稿画像を読み取るためのＣＣＤアレイ用の駆動部、ＣＣＤアレイで読み取った原稿画像を画像処理する画像処理部、画像処理部からの出力信号に基づいて感光体にレーザ光を照射するレーザダイオードを駆動制御するレーザダイオード用の駆動部等のためのＣＰＵも別途備えるため、益々ＣＰＵの数が多くなる。
【０００３】
【発明が解決しようとする課題】
アナログ複写機では内蔵するＣＰＵの数がそれほど多くはなく、しかもそのクロック周波数が低いために問題となることは少ないが、デジタル複写機では内蔵するＣＰＵの数が多く、しかもそのクロック周波数が高いために不要輻射（以下、ＥＭＩという）の問題が生ずる。つまり、複数のＣＰＵのクロック周波数（高調波エネルギー）の重なり合いがエネルギー源となり、デジタル複写機の筐体から浮いて取り付けられている板金やローラ軸、ハーネス、筐体に対する接地が不十分な板金等がアンテナとなり、このようなエネルギー源とアンテナとによってＥＭＩが発生する。
【０００４】
ここで、ＣＰＵのクロック周波数の重なり合いは、二種類のクロック周波数の最小公倍数となる周波数で発生する。例えば、ＣＰＵのクロック周波数としては、１６ＭＨｚ、１２ＭＨｚ、１０ＭＨｚ等のような整数の周波数が用いられることが多いが、この場合、１６ＭＨｚと１２ＭＨｚとでは４８ＭＨｚが最小公倍数となり、１２ＭＨｚと１０ＭＨｚとでは６０ＭＨｚが最小公倍数となり、１６ＭＨｚと１０ＭＨｚとでは８０ＭＨｚが最小公倍数となる。したがって、４８ＭＨｚ〜８０ＭＨｚという狭い範囲で高調波エネルギーの重なり合いが生ずるため、アンテナとなるものがあるとＥＭＩの発生が促される。
【０００５】
このようなＥＭＩは、装置の設計時に予測することが困難であり、多くの場合、試作後の設計変更によってＥＭＩ対策がとられることになる。ＥＭＩ対策としては、クロックにフィルタを入れて高調波成分を取り除いたり、プリント基板を多層にしたり、プリント基板の表裏に銅ペーストを塗布してシールド効果を持たせたり等の手法が一般的に採用されている。このため、ＥＭＩ対策には多くの労力と時間とが必要となり、これが製品コスト上昇の原因にもなっている。
【０００６】
本発明の目的は、ＥＭＩ対策を容易にすることである。
【０００７】
【課題を解決するための手段】
ＣＣＤアレイに結像されて読み取られた原稿画像に基づいて電子写真プロセスによる画像形成を行なうデジタル複写機において、独立のクロックによって駆動される複数個の高周波発生部のクロック周波数を相互に異ならせ、相互に異なる個々の前記高周波発生部のクロック周波数を、二つの高周波発生部の全ての組合せにおいて、二つの高周波発生部のクロック周波数の最小公倍数がそれらの高周波発生部のクロック周波数の積となるように設定した。したがって、複数個の高周波発生部が発生するクロック周波数の重なり合い領域が広くなり、クロック周波数の重なり合いによる高調波エネルギーが広い周波数帯に分散される。これにより、ＥＭＩが低減され、ＥＭＩ対策が容易となる。
【０００８】
【発明の実施の形態】
本発明の実施の一形態を図面に基づいて説明する。図１は本実施の形態のデジタル複写機１の内部構造を示す模式図、図２は各部の電気的接続のブロック図である。
【０００９】
図１（ａ）に示すように、デジタル複写機１は、画像読取部２と画像形成部３と操作部４とを基本的な構成要素として備え、このような基本構成に自動原稿送り装置５（以下、ＡＤＦという）とソータ６とが付加されて構成されている。
【００１０】
画像読取部２は、原稿７を載置するためのコンタクトガラス８に沿って移動自在なランプ走行体９を含むスキャナ部１０を備え、ランプ走行体９に搭載されたランプ１１から照射されてコンタクトガラス８に載置された原稿７を反射した光を光学系によってＣＣＤアレイ１２に結像させ、ＣＣＤアレイ１２の出力に基づいて所定の画像処理を実行する構造のものである。したがって、画像読取部２は、図２に示すように、ＣＣＤアレイ１２を駆動するＣＣＤ駆動部１３と、このＣＣＤ駆動部１３からの出力に基づいて画像処理を実行する画像処理部１４とを備える。
【００１１】
画像形成部３は、画像処理部１４の出力信号に基づいて、感光ドラム１５に対する帯電、露光、現像及び転写という電子写真プロセスによる画像形成を行なう。したがって、画像形成部３は、帯電装置１６、露光装置１７、現像装置１８、転写装置１９及び感光ドラムクリーナ２０を感光ドラム１５の回りに備え、感光ドラム１５と転写装置１９との間を通る用紙案内経路２１に定置装置２２を備える。これらの各部のうち、露光装置１７は、画像処理部１４の出力信号に基づいて半導体レーザ２３（以下、ＬＤという）をＬＤ駆動部２４で駆動し、ＬＤ駆動部２４によって駆動されたＬＤ２３から出射されたレーザ光を走査光学系２５によって感光ドラム１５の主走査方向に導く構造となっている。図２に示すように、このような電子写真プロセスを実行する各部は、シーケンス制御部２６によって駆動制御される。
【００１２】
画像形成部３は、図示しない転写紙の給紙機構２７と搬送機構２８とを更に備える。つまり、給紙機構２７は、複数段の給紙カセット２９から最上位の転写紙をピックアップして用紙案内経路２１に送り出し、搬送機構２８は、用紙案内経路２１に送り出されて転写装置１９及び定着装置２２を通過した転写紙を排紙部３０に向けて搬送する。このような給紙機構２７及び搬送機構２８は、図２に示すシステム制御部３１によって駆動制御されるメインモータ３２（図１（ｂ）参照）を駆動源とし、システム制御部３１によって駆動制御される。このシステム制御部３１は、シーケンス制御部２６に接続され、互いに同期的に動作する。
【００１３】
操作部４は、その機構部分が図示しないフロントパネルに設けられ、自ら電気的な制御部（図２参照）を備える。このような操作部４は、システム制御部３１に接続され、システム制御部３１に各種の情報を与える。
【００１４】
そして、ＡＤＦ５は、その機構部分がコンタクトガラス８に対して開閉自在に設けられ、電気的な制御部はシーケンス制御部２６に接続されている。また、ソータ６は、その機構部分が排紙部３０に設置され、電気的な制御部はシーケンス制御部２６に接続されている。
【００１５】
ここで、図１（ｂ）に示すように、ＣＣＤアレイ１２、ＣＣＤ駆動部１３、画像処理部１４、ＬＤ駆動部２４及びＬＤ２３は画像処理ユニット３３としてユニット化され、シーケンス制御部２６及びシステム制御部３１はＭＰＵユニット３４としてユニット化され、これらの画像処理ユニット３３、ＭＰＵユニット３４及び他の電気電子部品は電源ユニット３５より電力供給を受けて動作する。
【００１６】
このような基本構造のもと、本実施の形態のデジタル複写機１は、操作部４での設定に従い、電子写真プロセスによる画像形成を行なう。
【００１７】
つまり、操作部４は、操作入力処理及び表示出力処理のためのＣＰＵ▲４▼（クロック周波数：１５．９５ＭＨｚ）を備え、操作入力処理結果をシステム制御部３１に送信出力する。
【００１８】
システム制御部３１は、システム全体を統括的に制御するＣＰＵ▲３▼（クロック周波数：３１．９７ＭＨｚ）を備え、このＣＰＵ▲３▼によって各部を統括的に制御する。
【００１９】
このようなシステム制御部３１による統括制御のもと、画像読取部２ではＣＣＤアレイ１２を利用した画像の読み取りを行なう。つまり、画像処理部１４は、ＣＰＵ▲１▼を備え、このＣＰＵ▲１▼の２４．９ＭＨｚのクロック周波数によってスキャナ部１０を駆動制御し、ランプ１１から照射されてコンタクトガラス８に載置された原稿を反射した光をＣＣＤアレイ１２に結像させる。ＣＣＤアレイ１２の出力は、ＣＣＤ駆動部１３に取り込まれて画像処理部１４に送信される。この際、ＣＣＤアレイ１２は、７５００画素１ライン構成となっており、ＯＤＤ、ＥＶＥＮの出力を得る際に画像処理部１４が備えるＣＰＵ▲１▼の２８ＭＨｚのクロック周波数を２分割した１４ＭＨｚでＣＣＤ駆動部１３によって駆動される。この場合、ＣＣＤアレイ１２では、ＣＣＤアレイ１２が備える図示しない電荷転送部の負荷容量が大きいため、大きなエネルギーを必要とし、大きな高周波が発生する。そして、ＣＣＤアレイ１２の出力を得た画像処理部１４では、２８ＭＨｚのクロック周波数で図示しないゲートアレイやＡＳＩＣ等を駆動し、ＣＣＤアレイ１２の出力信号に各種の補正や処理を施してＬＤ駆動部２４にその出力信号を送信出力する。ＬＤ駆動部２４は、ＬＤ２３の点灯制御用の３３．１ＭＨｚのクロック周波数を図示しないＰＬＬ素子で生成し、このクロック周波数によってＬＤ２３を点灯制御する。
【００２０】
このようなＬＤ駆動部２４によるＬＤ２３の点灯制御は、シーケンス制御部２６の統括制御のもとに実行される。つまり、ＬＤ２３の点灯制御は、シーケンス制御部２６による電子写真プロセス処理（帯電、露光、現像、転写、定着）の一過程である感光ドラム１５の露光処理として実行される。この場合、シーケンス制御部２６も３１．９７ＭＨｚで動作するＣＰＵ▲２▼を備え、このＣＰＵ▲２▼によって電子写真プロセス制御が実行される。こうして、転写紙に対して画像形成動作がなされる。
【００２１】
なお、このような電子写真プロセスを利用した画像形成動作に際し、操作部４の操作設定や原稿のセット位置等によっては、ＡＤＦ５が動作したり、あるいは、ソータ６が動作したりする。この場合、ＡＤＦ５は１１．９５ＭＨｚのクロック周波数を持つＣＰＵ▲５▼に集中制御されて動作し、ソータ６は９．９ＭＨｚのクロック周波数を持つＣＰＵ▲６▼に集中制御されて動作する。
【００２２】
以上説明したとおり、本実施の形態のデジタル複写機１では、画像処理部１４にはＣＰＵ▲１▼、シーケンス制御部２６にはＣＰＵ▲２▼、システム制御部３１にはＣＰＵ▲３▼、操作部４にはＣＰＵ▲４▼、ＡＤＦ５にはＣＰＵ▲５▼、ソータ部６にはＣＰＵ▲６▼がそれぞれ設けられ、ＣＰＵ▲１▼は２８ＭＨｚ及び２４．９５ＭＨｚで動作し、ＣＰＵ▲２▼は３１．９３ＭＨｚで動作し、ＣＰＵ▲３▼は３２．２ＭＨｚで動作し、ＣＰＵ▲４▼は２５．９ＭＨｚで動作し、ＣＰＵ▲５▼は１１．９５ＭＨｚで動作し、ＣＰＵ▲６▼は９．９ＭＨｚで動作する。また、ＣＣＤ駆動部１３はＣＰＵ▲１▼の２８ＭＨｚのクロック周波数を２分割した１４ＭＨｚで駆動され、ＬＤ駆動部２４は３３．１ＭＨｚのクロック周波数で駆動される。したがって、デジタル複写機１の内部には多種類の高周波発生部（ＣＰＵ▲１▼〜▲６▼等）により発生する高周波が混在することになるが、二つの高周波発生部の全ての組合せにおいて、二つの高周波発生部のクロック周波数の最小公倍数はそれらの二つの高周波発生部のクロック周波数の積となる。このため、複数個の高周波発生部が発生するクロック周波数が重なり合う領域が広くなり、クロック周波数の重なり合いによる高調波エネルギーが広い周波数帯に分散することになる。よって、ＥＭＩが低減し、ＥＭＩ対策の容易化が図られる。
【００２３】
【発明の効果】
本発明は、独立のクロックによって駆動される複数個の高周波発生部のクロック周波数を相互に異ならせ、相互に異なる個々の前記高周波発生部のクロック周波数を、二つの高周波発生部の全ての組合せにおいて、二つの高周波発生部のクロック周波数の最小公倍数がそれらの高周波発生部のクロック周波数の積となるように設定したので、複数個の高周波発生部が発生するクロック周波数の重なり合い領域を広くすることができ、したがって、クロック周波数の重なり合いによる高調波エネルギーを広い周波数帯に分散してＥＭＩを低減することができ、ＥＭＩ対策の容易化を図ることができる。
【図面の簡単な説明】
【図１】内部構造を示す模式図である。
【図２】各部の電気的接続のブロック図である。
である。
【符号の説明】
１２            ＣＣＤアレイ
１３，２４，▲１▼〜▲６▼    高周波発生部（ＣＣＤ駆動部、ＬＤ駆動部、ＣＰＵ）
【図１】
0003586547.tif 000002
【図２】
0003586547.tif 000003